(57)【要約】【課題】複数のチャンネルから同時に受信した信号の品質を良好にする。【解決手段】放送受信用モジュールは、複数のチューナを備える。各チューナは、チューナコントローラからの制御に基づいて、各々が異なるチャンネルを選局し、選局したチャンネルの信号を受信する。受信性能がより高いチューナが、入力信号レベルがより低いチャンネルの信号を受信する。すなわち、受信性能が最も高いチューナが、入力信号レベルが最も低いチャンネルの信号を受信する。逆に、受信性能が最も低いチューナが、入力信号レベルが最も高いチャンネルの信号を受信する。【選択図】図３
2014027453.tif 000002
【特許請求の範囲】
【請求項１】
複数のチャネルの信号を受信する受信装置であって、
各々が異なるチャネルの信号を受信する複数のチューナを備え、
受信性能がより高いチューナが、受信信号の劣化がより大きいチャネルの信号を受信する、受信装置。
【請求項２】
前記複数のチューナの各々の受信性能と、前記複数のチャネルの各々の受信信号の状態とは、前記受信装置とネットワークを介して接続された外部記憶装置に送信される、請求項１に記載の受信装置。
【請求項３】
前記受信装置は、前記外部記憶装置に記憶された、前記複数のチューナの各々の受信性能と前記複数のチャネルの各々の受信信号の状態とに基づいて、前記チューナが信号を受信するチャネルを決定する、請求項２に記載の受信装置。
【請求項４】
請求項１に記載の受信装置を複数備え、
前記複数の受信装置のチューナ間で受信性能が比較され、
受信性能がより高いチューナが、受信信号の劣化がより大きいチャネルの信号を受信する、受信システム。
【請求項５】
前記複数のチューナの各々の受信性能と、前記複数のチャネルの各々の受信信号の状態とは、前記複数の受信装置とネットワークを介して接続された外部記憶装置に送信される、請求項４に記載の受信システム。
【請求項６】
前記受信装置の識別番号が前記外部記憶装置に送信される、請求項５に記載の受信システム。
【発明の詳細な説明】
【技術分野】
【０００１】
本発明は、受信装置および受信システムに関し、特に、複数のチューナの各々にチャンネルを割当てる技術に関する。
【背景技術】
【０００２】
複数のチャンネルの番組を録画することができるレコーダが販売されている。このようなレコーダは、複数のチューナを有している。各チューナは、基板上の別々の位置に搭載される。したがって、例えば信号入力部のレイアウトなどに起因して、チューナ毎に高周波特性が異なり得る。また、デジタル処理回路からの輻射による受信性能の劣化度合が、チューナの位置に左右され得る。したがって、チューナ間で受信性能が異なり得る。
【０００３】
さらに、各チャンネルの受信信号の劣化状態も、伝送ケーブルにおける損失、妨害電波、レコーダ内の輻射などに起因して異なり得る。
【０００４】
特開２００８−２７８１９５号公報（特許文献１）は、第１８段落において、初期設定のチャンネルスキャン時にそれぞれのチューナで得られる受信状態をモニターし、より良好な受信状態のチューナを選択し、チャンネルごとに記録して、以降の選局時はこれに従ったチャンネル選択を実施することが開示されている。
【先行技術文献】
【特許文献】
【０００５】
【特許文献１】特開２００８−２７８１９５号公報
【発明の概要】
【発明が解決しようとする課題】
【０００６】
しかしながら、特開２００８−２７８１９５号公報は、複数のチャンネルの番組を同時に録画する場合に必ずしも有効であるとは限らない。特定の１つのチューナの受信状態が複数のチャンネルに対して最も良好である場合、その複数のチャンネルの信号を同時に受信するときに用いるべきチューナは、特開２００８−２７８１９５号公報では明らかにされていない。
【０００７】
本発明は、上述の課題に鑑みてなされたものであって、その目的は、複数のチャンネルの信号を同時に受信するのに適した受信装置ならびに受信システムを提供することである。
【課題を解決するための手段】
【０００８】
ある実施例において、複数のチャンネルの信号を受信する受信装置は、各々が異なるチャンネルの信号を受信する複数のチューナを備える。受信性能がより高いチューナが、受信信号の劣化がより大きいチャンネルの信号を受信する。
【発明の効果】
【０００９】
受信性能がより高いチューナが、受信信号の劣化がより大きいチャンネルの信号を受信する。そのため、受信性能が最も高いチューナが、受信信号の劣化が最も大きいチャンネルの信号を受信する。逆に、受信性能が最も低いチューナが、受信信号の劣化が最も小さいチャンネルの信号を受信する。これにより、得られる信号の品質を平準化できる。よって、複数のチューナを同時に用いて複数のチャンネルの信号を受信するときに、特定のチャンネルの信号の受信結果が他のチャンネルの信号の受信結果に比べて極端に悪くなることを避けることができる。したがって、複数のチャンネルの信号を同時に受信するときの全体的な受信結果を良好にできる。
【図面の簡単な説明】
【００１０】
【図１】第１の実施の形態に係る録画システムを示す図である。
【図２】放送用受信モジュールを示す図である。
【図３】第１の実施の形態におけるチューナとチャネルとの組合わせを示す図である。
【図４】第１の実施の形態において録画システムが実行する処理を示すフローチャートである。
【図５】第２の実施の形態に係る録画システムを示す図である。
【図６】各放送受信用モジュールに搭載されたチューナを示す図である。
【図７】第２の実施の形態におけるチューナとチャネルとの組合わせを示す図である。
【図８】離れた場所に設置された２つの放送受信用モジュールを備えた録画システムを示す図である。
【発明を実施するための形態】
【００１１】
以下、図面を参照しつつ、本発明の実施の形態について説明する。以下の説明では、同じ機能を有する構成には同じ符号を付し、それらについての詳細な説明は繰返さない。
【００１２】
第１の実施の形態
図１を参照して、受信装置としての放送受信用モジュール１２を有する録画システム１０について説明する。録画システム１０は、一例として、ワンセグ（登録商標）の全てのチャンネルの番組を同時に録画する。受信する信号は、ワンセグの信号に限定されず、フルセグとも呼ばれる地上デジタル放送の信号が受信されてもよい。
【００１３】
録画システム１０は、放送受信用モジュール１２に加えて、ＣＰＵ（Central Processing Unit）１４と、ＨＤＤ（Hard Disk Drive）１６とを備える。なお、放送受信用モジュール１２、ＣＰＵ１４、ＨＤＤ１６は同一の筺体内に収容されていてもよく、別々の筺体内に個別に収容されていてもよい。
【００１４】
放送受信用モジュール１２は、分配器２０と、複数のチューナ３１、３２，３３，３４，３５，３６，３７，３８と、チューナコントローラ４０とを備える。アンテナ５０を介して録画システム１０に入力された信号は、分配器２０により各チューナ３１〜３８に対して分配される。なお、チューナの数は８つに限定されず、複数であればいくつであってもよい。
【００１５】
各チューナ３１〜３８は、チューナコントローラ４０からの制御に基づいて、各々が異なるチャンネルを選局し、選局したチャンネルの信号を受信する。各チューナ３１〜３８は、それぞれ選局されたチャンネルの信号を復調する。各チューナ３１〜３８から、それぞれのデジタル映像信号に対応するＴＳ（Transport Stream）信号が出力される。
【００１６】
各チューナ３１〜３８から出力される複数の映像信号に対するＴＳ信号は、チューナコントローラ４０において１系統の信号に統合される。統合されたＴＳ信号は、ＳＲＡＭ（Static Random Access Memory）−Ｉ／Ｆ（Inter Face）信号に変換される。ＳＲＡＭ−Ｉ／Ｆ信号が、チューナコントローラ４０から出力される。ＳＲＡＭ−Ｉ／Ｆ信号は、後段のブリッジＩＣ（Integrated Circuit）４２によりさらにＵＳＢ（Universal Serial Bus）（登録商標）−Ｉ／Ｆ信号に変換される。
【００１７】
録画システム１０において、放送受信用モジュール１２から出力されるＵＳＢ−Ｉ／Ｆ信号は、ＣＰＵ１４、ならびにＨＤＤ１６などの外部記録メディアが搭載されたメインボードに入力される。ＣＰＵ１４において信号が処理され、処理された信号が、ＨＤＤ１６などの外部記憶装置に記憶される。このようにして、複数の異なったチャンネルの映像信号が、複数のチューナ３１〜３８を同時に用いて受信され、ＨＤＤ１６に記憶される。
【００１８】
本実施の形態において、ＣＰＵ１４は、ＬＡＮ（Local Aria Network）機能を有する。ＣＰＵ１４は、ＨＤＤ１６に蓄積された各チャンネルの映像信号をＨＤＤ１６から取り出し、ユーザが希望する所望の映像信号をインターネットなどのネットワーク６０ならびに外部サーバ７０などを経由してユーザが所有する携帯端末８０に配信することができる。
【００１９】
一例として、ユーザは、メディアプレーヤ、携帯電話、スマートフォン、ＰＤＡ（Personal Digital Assistant）などの携帯端末８０を利用して、複数のチャンネルの録画された番組の中から任意の番組を指定することができる。携帯端末８０を利用して録画信号にアクセスすることで、ユーザは録画システム１０から離れた場所で録画された番組を視聴することが可能になる。
【００２０】
図２を参照して、放送受信用モジュール１２についてさらに説明する。図２に示すように、複数のチューナ３１〜３８は、各々、基板４４の上の異なる場所に配置されている。その結果、信号入力部のレイアウト等に起因する高周波特性の差異により、各チューナ３１〜３８の受信性能は異なり得る。また、チューナコントローラ４０からの輻射などにより受信性能が劣化することが予想されるが、輻射の影響度合いは、各チューナ３１〜３８の位置に応じて異なり得る。これらの結果、チューナ３１〜３８間で信号の受信性能が異なり得る。
【００２１】
さらに、各チャンネルの受信信号の劣化の状態（入力信号レベル、Ｓ／Ｎ（Signal to Noise ratio: 信号対雑音比）、スプリアスによる妨害の程度など）も、伝送ケーブルにおける損失、妨害電波、輻射などの影響を受けて異なり得る。その結果、例えば、特定のチャンネルの入力信号レベルが、他のチャンネルの入力信号レベルに比べて劣り得る。したがって、入力信号レベルが低いチャンネルの信号が、受信性能の最も劣るチューナにより受信された場合、得られる映像信号の品質が極端に悪くなり得る。
【００２２】
これに対処すべく、図３に示すように、本実施の形態においては、受信性能（受信感度性能）がより高いチューナが、受信信号の劣化がより大きいチャンネルの信号を受信する。一例として、以下に示す例では、受信性能がより高いチューナが、入力信号レベルがより低いチャンネルの信号を受信する。
【００２３】
なお、受信性能がより高いチューナが、Ｓ／Ｎがより小さい（ノイズがより多い）チャネルの信号を受信してもよい。受信性能がより高いチューナが、スプリアスによる妨害がより大きいチャネルの信号を受信してもよい。すなわち、以下の説明では、「入力信号レベル」を「Ｓ／Ｎ」または「スプリアスによる妨害の程度」に置き換えて本願発明に適用してもよい。受信信号の劣化の状態を示すものは、入力信号レベル、Ｓ／Ｎ、スプリアスによる妨害の程度に限定されない。
【００２４】
図３に示す例では、説明のため、チューナＨ，チューナＧ，チューナＦ，チューナＥ，チューナＤ，チューナＣ，チューナＢ，チューナＡの順に受信性能が良いと想定する。また、第１チャンネル、第２チャンネル、第３チャンネル、第４チャンネル、第５チャンネル、第６チャンネル、第７チャンネル、第８チャンネルの順に入力信号レベルが低い（受信信号の劣化が大きい）と想定する。
【００２５】
図３に示す例では、チューナＨが第１チャンネルの信号を受信する。チューナＧが第２チャンネルの信号を受信する。チューナＦが第３チャンネルの信号を受信する。チューナＥが第４チャンネルの信号を受信する。チューナＤが第５チャンネルの信号を受信する。チューナＣが第６チャンネルの信号を受信する。チューナＢが第７チャンネルの信号を受信する。チューナＡが第８チャンネルの信号を受信する。すなわち、受信性能が最も高いチューナが、入力信号レベルが最も低い（受信信号の劣化が最も大きい）チャンネルの信号を受信する。逆に、受信性能が最も低いチューナが、入力信号レベルが最も高い（受信信号の劣化が最も小さい）チャンネルの信号を受信する。
【００２６】
一例として、第１チャンネルの入力信号レベルが−９０ｄＢｍであり、第１チャンネルの入力信号レベルがチューナＡ〜Ｇの受信限界（下限値）を下回ると想定する。また、チューナＨの受信限界は、第１チャンネルの入力信号レベルよりも低いと想定する。この場合、チューナＡ〜Ｇで第１チャンネルの信号を受信することはできない。しかしながら、このような場合であっても、チューナＨの受信限界は−９０ｄＢｍよりも低いことから、チューナＨが第１チャンネルの信号を受信し得る。
【００２７】
一般的に、チューナの受信性能は、各チューナに搭載されているデジタル復調部（たとえばＯＦＤＭ（Orthogonal Frequency Division Multiplexing）復調）によって監視することができる。ＢＥＲ（Bit Error Rate）などを用いて受信性能を評価してもよい。
【００２８】
一例として、各チューナ３１〜３８が任意の同じチャンネルの信号を受信した状態での各チューナ３１〜３８の受信性能が比較される。これにより、チューナ間の受信性能差を検証することができる。
【００２９】
また、複数のチューナ３１〜３８のうちの任意の１つのチューナを用いて、各チャンネルの信号を順次受信することにより、各チャンネルの入力信号レベル（受信信号の状態）が測定される。これにより、チャンネル間の入力信号レベル差を検証することができる。受信性能ならびに入力信号レベルは、たとえばチューナコントローラ４０が実行する処理により得られる。
【００３０】
各チューナ３１〜３８の受信性能ならびに各チャンネルの入力信号レベルは、図１に示すＣＰＵ１４のメモリあるいはＨＤＤ１６などの記憶装置に記憶される。各チューナ３１〜３８の受信性能ならびに各チャンネルの入力信号レベルは、録画システム１０内の記憶装置の他、ネットワーク６０を介して録画システム１０と接続され、その結果、放送受信用モジュール１２と接続された外部サーバ７０に記憶される。すなわち、外部サーバ７０は、外部記憶装置としての機能を有する。
【００３１】
各チューナ３１〜３８の受信性能ならびに各チャンネルの入力信号レベルは、ＣＰＵ１４のＬＡＮ通信機能を用いて送信される。したがって、ＣＰＵ１４は、録画システム１０の通信部として機能し得る。よって、放送受信用モジュール１２は、ＣＰＵ１４を介して外部サーバ７０と通信する。
【００３２】
チューナコントローラ４０は、録画システム１０の内部あるいは外部に記憶された受信性能ならびに入力信号レベルに基づき、チューナ３１〜３８に選局すべきチャンネルを割当てる。
【００３３】
図４を参照して、本実施の形態において録画システム１０のＣＰＵ１４が実行する処理について説明する。以下に説明する処理は、ソフトウェアにより実現してもよく、ハードウェアにより実現してもよく、ソフトウェアとハードウェアとの協働により実現してもよい。
【００３４】
ステップ（以下、ステップをＳと略す）１００にて、各チューナ３１〜３８の受信性能が評価される。さらに、Ｓ１０２にて、各チャンネルの入力信号レベルが評価される。受信性能ならびに入力信号レベルの取得後、Ｓ１０４にて、受信性能がより高いチューナが、入力信号レベルがより低いチャンネルを選局する。また、Ｓ１０６にて、受信性能ならびに入力信号レベルを表す情報が外部サーバ７０に送られる。
【００３５】
以上のように、本実施の形態においては、受信性能がより高いチューナが、入力信号レベルがより低いチャンネルの信号を受信する。そのため、受信性能が最も高いチューナが、入力信号レベルが最も低いチャンネルの信号を受信する。逆に、受信性能が最も低いチューナが、入力信号レベルが最も高いチャンネルの信号を受信する。これにより、得られる信号の品質を平準化できる。よって、複数のチューナを同時に用いて複数のチャンネルの信号を受信するときに、特定のチャンネルの信号の受信結果が他のチャンネルの信号の受信結果に比べて極端に悪くなることを避けることができる。したがって、複数のチャンネルの信号を同時に受信するときの全体的な受信結果を良好にできる。
【００３６】
第２の実施の形態
以下、第２の実施の形態について説明する。本実施の形態に係る録画システム１０は、図５に示すように、２つの放送受信用モジュール１２Ｘならびに放送受信用モジュール１２Ｙを備える点で、前述の第１の実施の形態と相違する。その他の構造は、放送受信用モジュールの内部構造を含めて、前述の第１の実施の形態と同じである。第１の実施の形態と同じ機能を有する構成には、同じ符号を付し、ここではそれらの詳細な説明は繰り返さない。なお、放送受信用モジュールの数は２つに限定されず、複数であればいくつでもよい。
【００３７】
本実施の形態においては、複数の放送受信用モジュール１２Ｘ，１２Ｙのチューナ間で受信性能が比較される。さらに、複数の放送受信用モジュール１２Ｘ，１２Ｙのチューナの中から、各チャンネルの信号を受信できるチューナが選定される。
【００３８】
以下、説明のため、図６に示すように、放送受信用モジュール１２Ｘと，放送受信用モジュール１２Ｙとを、識別番号「Ｘ」および「Ｙ」で区別し、放送受信用モジュール１２Ｘに含まれるチューナを、チューナＸＡ、チューナＸＢ、チューナＸＣ、チューナＸＤ、チューナＸＥ、チューナＸＦ、チューナＸＧ、チューナＸＨと記載する。
【００３９】
同様に、放送受信用モジュール１２Ｙに含まれるチューナを、チューナＹＡ、チューナＹＢ、チューナＹＣ、チューナＹＤ、チューナＹＥ、チューナＹＦ、チューナＹＧ、チューナＹＨと記載する。
【００４０】
さらに、本実施の形態においては、チューナＹＨ、チューナＸＨ、チューナＹＧ、チューナＸＧ、チューナＹＦ、チューナＸＦ、チューナＹＥ、チューナＸＥ、チューナＹＤ、チューナＸＤ、チューナＹＣ、チューナＸＣ、チューナＹＢ、チューナＸＢ、チューナＹＡ、チューナＸＡの順に受信性能が高いと想定する。
【００４１】
さらに、図７に示すように、第１チャンネル、第２チャンネル、第３チャンネル、第４チャンネル、第５チャンネル、第６チャンネル、第７チャンネル、第８チャンネルの順に入力信号レベルが低いと想定する。
【００４２】
この場合、チューナＹＨが第１チャンネルの信号を受信する。チューナＸＨが第２チャンネルの信号を受信する。チューナＹＧが第３チャンネルの信号を受信する。チューナＸＧが第４チャンネルの信号を受信する。チューナＹＦが第５チャンネルの信号を受信する。チューナＸＦが第６チャンネルの信号を受信する。チューナＹＥが第７チャンネルの信号を受信する。チューナＸＥが第８チャンネルの信号を受信する。
【００４３】
すなわち、受信性能が上位にあるチューナが、放送受信用モジュールを区別せずにチャンネルの数だけ選定され、選定されたチューナを用いて映像信号が受信される。
【００４４】
各チューナの受信性能ならびに各チャンネルの入力信号レベルは、第１の実施の形態と同様に、外部サーバ７０に送信される。さらに、本実施の形態においては、放送受信用モジュール１２Ｘの識別番号「Ｘ」ならびに放送受信用モジュール１２Ｙの識別番号「Ｙ」が、受信性能ならびに入力信号レベルとともに、外部サーバ７０に送られる。
【００４５】
種々の情報を外部サーバ７０に送ることで、各放送受信用モジュール１２Ｘ，１２Ｙとチャンネルの組合わせをクラウド上で管理することができる。
【００４６】
図８に示すように、放送受信用モジュール１２Ｘと、放送受信用モジュール１２Ｙとが離れた場所に接地されていてもよい。
【００４７】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００４８】
１０  録画システム、１２，１２Ｘ，１２Ｘ  放送受信用モジュール、１４  ＣＰＵ、１６  ＨＤＤ、１８  メインボード、２０  分配器、３１，３２，３３，３４，３５，３６，３７，３８  チューナ、４０  チューナコントローラ、４２  ブリッジＩＣ、４４  基板、５０  アンテナ、６０  ネットワーク、７０  外部サーバ、８０  携帯端末。
【図１】
2014027453.tif 000003
【図２】
2014027453.tif 000004
【図３】
2014027453.tif 000005
【図４】
2014027453.tif 000006
【図５】
2014027453.tif 000007
【図６】
2014027453.tif 000008
【図７】
2014027453.tif 000009
【図８】
2014027453.tif 000010